(57)【要約】【課題】演出表示装置の前方で動作する可動役物について、インパクトが強く、かつ、意外性のある可動形態を呈することが可能な役物装置を備えたパチンコ機を提供する。【解決手段】所定の演出画像を表示可能な演出表示部を有する演出表示装置と、駆動機構によって可動体を演出表示部の前方へ動作させる役物装置とを備えたパチンコ機であって、可動体は、駆動機構の非動作時に遊技者から視認可能な意匠面を有する第一部材と、第一部材の背面に設けられ、駆動機構の非動作時に遊技者から視認不能な意匠面を有する第二部材とを備え、駆動機構は、可動体を演出表示部の前方においてスライド動作させるスライド手段と、可動体を当該可動体のスライド方向と直交する軸回りに回転動作させることにより、遊技者から第一部材の意匠面を視認不能とし、第二部材の意匠面を視認可能とする回転手段とを備えた構成とした。【選択図】図４
2016016045.tif 000002
【特許請求の範囲】
【請求項１】
所定の演出画像を表示可能な演出表示部を有する演出表示装置と、
駆動機構によって可動体を前記演出表示部の前方へ動作させる役物装置と、
を備えたパチンコ機であって、
前記可動体は、
前記駆動機構の非動作時に遊技者から視認可能な意匠面を有する第一部材と、
前記第一部材の背面に設けられ、前記駆動機構の非動作時に遊技者から視認不能な意匠面を有する第二部材と、
を備え、
前記駆動機構は、
前記可動体を前記演出表示部の前方においてスライド動作させるスライド手段と、
前記可動体を当該可動体のスライド方向と直交する軸回りに回転動作させることにより、遊技者から前記第一部材の意匠面を視認不能とし、前記第二部材の意匠面を視認可能とする回転手段と、
を備えたことを特徴とするパチンコ機。
【請求項２】
前記パチンコ機は、前記演出表示部の前方で駆動機構によって第二可動体をスライド動作させる第二役物装置をさらに備え、
前記第二可動体が、前記可動体のスライド動作または回転動作に対応してスライド動作することにより、前記第一部材の意匠面及び第二部材の意匠面と異なる意匠面を形成することを特徴とする請求項１記載のパチンコ機。
【発明の詳細な説明】
【技術分野】
【０００１】
本発明は、遊技機に関し、特に可動役物の動作による意外性の高い演出を行うパチンコ機に関する。
【背景技術】
【０００２】
従来、遊技機の一例としてのパチンコ機には、役物装置と呼ばれる可動体が設けられたものが知られている。当該役物装置の形態としては、例えば遊技に関する画像や動画等を表示可能な演出表示装置よりも前方において、スライド動作するものや回転動作するものが知られており、遊技者は当該役物装置の動作や、演出表示装置上に表示される変動演出を視認することにより、所謂大当りへの期待感を得ることができる。
【先行技術文献】
【特許文献】
【０００３】
【特許文献１】特開２０１３−２３６８０２号公報
【発明の概要】
【発明が解決しようとする課題】
【０００４】
しかしながら、遊技者の期待感を向上させるために、よりインパクトが強く、かつ、意外性が高い様々な可動形態が要望されており、これまでの役物装置のように演出表示装置の前方で単にスライド移動や回転動作することのみでは、役物装置としてのインパクトや意外性を欠き、遊技者の期待感を十分に高めることができない。
【０００５】
本発明は、上記事情に鑑みてなされたものであって、演出表示装置の前方で動作する可動役物について、インパクトが強く、かつ、意外性のある可動形態を呈することが可能な役物装置を備えたパチンコ機を提供することを目的とする。
【課題を解決するための手段】
【０００６】
上記課題を解決するためのパチンコ機の構成として、所定の演出画像を表示可能な演出表示部を有する演出表示装置と、駆動機構によって可動体を演出表示部の前方へ動作させる役物装置とを備えたパチンコ機であって、可動体は、駆動機構の非動作時に遊技者から視認可能な意匠面を有する第一部材と、第一部材の背面に設けられ、駆動機構の非動作時に遊技者から視認不能な意匠面を有する第二部材とを備え、駆動機構は、可動体を演出表示部の前方においてスライド動作させるスライド手段と、可動体を当該可動体のスライド方向と直交する軸回りに回転動作させることにより、遊技者から第一部材の意匠面を視認不能とし、第二部材の意匠面を視認可能とする回転手段とを備えた構成とした。
また、パチンコ機の他の構成として、パチンコ機は、演出表示部の前方で駆動機構によって第二可動体をスライド動作させる第二役物装置をさらに備え、第二可動体が、可動体のスライド動作または回転動作に対応してスライド動作することにより、第一部材の意匠面及び第二部材の意匠面と異なる意匠面を形成することとした。
なお、上記発明の概要は、本発明の必要な特徴の全てを列挙したものではなく、特徴群を構成する個々の構成もまた発明となり得る。
【発明の効果】
【０００７】
上記各構成によれば、インパクトが強く、かつ、意外性のある可動形態を呈することが可能な可動役物を提供することが可能となる。
【図面の簡単な説明】
【０００８】
【図１】実施形態に係るパチンコ機の外観正面図である。
【図２】パチンコ機の遊技盤を示す正面図である。
【図３】パチンコ機のブロック図である。
【図４】可動体動作時における遊技盤の正面図である。
【図５】役物装置を示す全体斜視図である。
【図６】役物装置の動作過程を示す側面図である。
【図７】第二役物装置を示す全体斜視図である。
【図８】第二役物装置を示す正面図である。
【発明を実施するための形態】
【０００９】
以下、図１〜図８を参照し、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。なお、以下の説明においてパチンコ機の各部の方向は、そのパチンコ機に対面する遊技者にとっての前後，上下，左右方向に一致させて説明する。
【００１０】
［パチンコ機の全体構成について］
図１，図２を用いて、遊技機の一例としてのパチンコ機１の全体構成について説明する。
同図に示すように、本実施形態に係るパチンコ機１は、遊技機が設置される店舗の島とも呼ばれる設備に固定される縦長矩形状の機枠２と、機枠２に対して前後方向に開閉自在に取り付けられた本体枠３と、本体枠３内に脱着自在に収容される遊技盤２０と、本体枠３の前方において開閉可能に取り付けられ、中央に配設されたガラス窓４Ａ及び当該ガラス窓４Ａの下方に設けられた受皿６を有するパネル枠４と、パネル枠４の下部一側部より前方に突設されたハンドルユニット７と、パネル枠４の上部両側部に配設されたスピーカユニット８とを備える。
パネル枠４が本体枠３側に閉じられた状態において、パチンコ機１の前方に着座する遊技者からは、パネル枠４に配設されたガラス窓４Ａを介して本体枠３内に収容された遊技盤２０の遊技領域２０Ａを視認することが可能である。
【００１１】
受皿６の中央部には、遊技者の任意によって操作可能な操作手段としての操作機構９が配設される。操作機構９は、遊技者による押下操作が可能な円形のプッシュボタン９Ａと、当該プッシュボタン９Ａの周囲において遊技者による回動操作が可能なダイアル９Ｂとにより構成される。操作機構９は、後述する演出制御装置３００と接続されており、プッシュボタン９Ａ、及びダイアル９Ｂから出力される信号は、演出制御装置３００側に入力する。
また、上記受皿６には、操作機構９の他、球貸ボタンや返却ボタン等が配設されている。球貸ボタンや返却ボタン等のボタン操作によって図外のＣＲユニットに投入されたＩＣカード等の記録媒体に記録された貸し球可能数に対応する遊技球の貸し出し動作、或いは記録媒体の返却動作が実行される。
【００１２】
［遊技盤の構成について］
図２に示すように、本体枠３内に収容された遊技盤２０には、外ガイドレール２１及び内ガイドレール２２によって区画された遊技領域２０Ａが形成される。遊技領域２０Ａは、遊技盤２０の前面とガラス窓４Ａの後面との間に形成され、遊技球が流下可能な空間である。また、遊技領域２０Ａ内には、遊技盤２０の前面に稙設された多数の釘や風車が配置されている。そして、遊技者のハンドルユニット７の操作に応じて駆動する図外の発射機構により発射され、遊技領域２０Ａ内に到達した遊技球は、多数の釘や風車によって不規則に誘導されつつ遊技領域２０Ａ内を流下する。
【００１３】
遊技盤２０には、演出表示装置５０と、後述する複数の入賞部品とが配設される。演出表示装置５０は、例えば１〜８までの数字、及び特定のキャラクター等からなる演出図柄Ｓを変動表示可能な液晶表示装置であって、その演出表示部５０Ａは遊技盤２０の中央部において遊技盤２０面積全体の４分の１程度を占めている。演出表示部５０Ａには、演出図柄Ｓの他、演出図柄Ｓの変動表示に伴って予告演出やリーチ演出とも呼ばれる画像や動画により表現される多様な変動演出が表示される。そして、遊技者は、一般に演出表示部５０Ａ上に表示される変動表示、及び変動演出を視認しながら遊技を楽しむこととなる。
【００１４】
また、演出表示部５０Ａの周囲には、遊技球誘導壁３１が前方に向けて突設されている。遊技球誘導壁３１は、演出表示部５０Ａの上部、及び両側部を略円形状に取り囲むように延在する壁部である。上述のガラス窓４Ａが閉じられた場合において、遊技球誘導壁３１の前端部とガラス窓４Ａとは、遊技球の直径未満で接近し、遊技球誘導壁３１で囲まれた内側に遊技球が進入することは不可能とされる。よって、遊技領域２０Ａ内を流下する球は、複数の遊技釘や遊技球誘導壁３１の傾斜により誘導されながら流下することとなる。
遊技球誘導壁３１の下部には、演出表示装置５０の下部において後方に広がるステージ３４が設けられる。ステージ３４は、遊技球誘導壁３１の左側部に開設されたワープ通路３２を介して誘導された球を転動させた後、その前面又は中央部に開設された導出口３５を介して導出可能である。導出口３５は、後述する振分機構４３の共通入口４３Ａの直上に位置しており、導出口３５から排出された球は、高い確率で共通入口４３Ａに取り込まれることとなる。
【００１５】
次に、遊技盤２０に配設される各遊技部品について説明する。
遊技盤２０の遊技領域２０Ａ内には、入賞部品としての第１始動入賞部品４０、第２始動入賞部品４１、大入賞部品４５及び複数の一般入賞部品４６が配設される。これらの入賞部品４０，４１，４５，４６には、それぞれ第１始動口検出スイッチＳＷ１、第２始動口検出スイッチＳＷ２、大入賞口検出スイッチＳＷ３及び一般入賞口検出スイッチＳＷ４が内蔵されており、遊技球の検出に基づいて後述する主制御装置１００側に検出信号を出力する。
第１始動入賞部品４０，第２始動入賞部品４１は、遊技領域２０Ａの中央下部に互いに左右並列して配設される。第１始動入賞部品４０，第２始動入賞部品４１はそれぞれ、振分機構４３の下流側出口４４Ａ，下流側出口４４Ｂの下方に配設されている。振分機構４３は、例えば外部より視認可能な透明基板によって形成された流路であって、共通入口４３Ａより進入した球は、二股に分かれる流路の上流側中央部に配設された振分体４２によって下流側出口４４Ａ，４４Ｂのいずれかに振り分けられる。なお、本実施形態において振分体４２は、外部の動力を用いずに球の重み等によって機械的に動作し、共通入口４３Ａへ進入した球を下流側出口４４Ａ，４４Ｂの方向に向けて交互に振り分けるものであっても、外部からの動力を用いて動作し、球を下流側出口４４Ａ，４４Ｂの方向に向けて交互に振り分けるものであってもよい。
【００１６】
振分機構４３を経て第１始動入賞部品４０又は第２始動入賞部品４１に球が入賞すると、主制御装置１００によって特別図柄抽選（以下、特図抽選ともいう）等の各種の抽選処理が実行され、当該各種の抽選処理の結果が特別図柄表示装置４８，４９や演出表示装置５０上に反映されて表示される。また、第１始動入賞部品４０又は第２始動入賞部品４１に球が入賞すると、予め設定された所定の個数（例えば３個）の賞球が払出制御装置２５０（図３参照）を介して遊技者に対して払い出される。また、第１始動入賞部品４０及び第２始動入賞部品４１には、それぞれ電動チューリップとも称される開閉体４０Ａ，４１Ａが設けられている。図３に示すように、当該開閉体４０Ａ，４１Ａは、それぞれソレノイドＳＯＬ１，ソレノイドＳＯＬ２により開閉される。ソレノイドＳＯＬ１，ＳＯＬ２は、主制御装置１００により制御され、開閉体４０Ａ，４１Ａを所定の回数及び所定の間隔で開放動作させる。
【００１７】
大入賞部品４５は、遊技領域２０Ａの右側下部に配設される。大入賞部品４５は、特図抽選の結果が当りである場合に実行される所謂大当り遊技時に開放する開閉体４５Ａを有している。図３に示すように、当該開閉体４５Ａは、ソレノイドＳＯＬ３により開閉される。ソレノイドＳＯＬ３は、大当り遊技時において主制御装置１００によって制御され、開閉体４５Ａを所定の回数及び所定の間隔で開放動作させる。また、大入賞部品４５に球が入賞すると予め設定された所定の個数（例えば１５個）の賞球が遊技者に対して払い出される。
【００１８】
複数の一般入賞部品４６は、遊技領域２０Ａの左側下部に所定の間隔を空けて配設される。当該一般入賞部品４６に球が入賞すると予め設定された所定の個数（例えば３個）の賞球が遊技者に対して払い出される。
【００１９】
遊技盤２０の遊技領域２０Ａの外方には、第１特別図柄表示装置４８、第２特別図柄表示装置４９が設けられている。各特別図柄表示装置４８，４９は、遊技の進行状況に応じて主制御装置１００によって制御され、その表示の変化によって遊技状況を遊技者に報知する。
具体的に、第１特別図柄表示装置４８は、遊技盤２０の右側下部に配設されるデジタル表示器であって、第１始動入賞部品４０への遊技球の入賞を契機に、主制御装置１００により行われる特図抽選（第１特図抽選）の結果を表示する。第２特別図柄表示装置４９は、第１特別図柄表示装置４８の下方に配設されるデジタル表示器であって、第２始動入賞部品４１への遊技球の入賞を契機に、主制御装置１００により行われる特図抽選（第２特図抽選）の結果を表示する。
【００２０】
［パチンコ機の内部構成について］
図３は、パチンコ機１の制御を担う制御手段の構成を示すブロック図である。同図に示すように、パチンコ機１は、主として遊技全般に係る基本動作を制御する主制御装置１００と、主として賞球の払出動作を制御する払出制御装置２５０と、主として遊技球の発射を制御する発射制御装置２６０と、前述の演出表示装置５０や後述する役物装置５００，役物装置６００を制御する演出制御装置３００とを備える。
【００２１】
主制御装置１００は、（メイン）ＣＰＵ１００ａ、（メイン）ＲＯＭ１００ｂ、及び（メイン）ＲＡＭ１００ｃを備えている。主制御装置１００のＣＰＵ１００ａは、各検出スイッチやタイマからの入力に対応してＲＯＭ１００ｂに予め格納されたプログラムを読み出して、当該プログラムに従った演算処理を行い、主制御装置１００に接続された上述の各ソレノイドＳＯＬ１〜ＳＯＬ３や、遊技盤２０の遊技領域２０Ａの外方に配設された第１特別図柄表示装置４８、第２特別図柄表示装置４９といった各表示装置を直接的に制御し、他の制御装置に多様なコマンドを送信する。また、このときＲＡＭ１００ｃは、ＣＰＵ１００ａの演算処理時におけるワークエリアとして機能し、演算に必要な各種のデータや、コマンドを一時的に保持する。
【００２２】
主制御装置１００には、払出制御装置２５０、及び演出制御装置３００が接続されている。払出制御装置２５０は、主制御装置１００と同様に不図示のＣＰＵ、ＲＯＭ、ＲＡＭを備えたマイクロコンピュータであって、主制御装置１００と一方向通信可能に接続されている。当該払出制御装置２５０には、外部情報出力端子板２５１が接続されている。外部情報出力端子板２５１は、主制御装置１００（ＣＰＵ１００ａ）及び払出制御装置２５０（払出制御装置のＣＰＵ）から出力された遊技の進行に関する種々の情報をパチンコ機１の設置店等に設けられたホストコンピュータ側に送信する。
【００２３】
また、払出制御装置２５０には、遊技者に対して賞球を払い出すための払出モータ２５２、及び賞球数計数スイッチ２５３が接続されている。払出制御装置２５０は、主制御装置１００から送信される払出コマンドに含まれる賞球数情報に基づいて所定の賞球数が払い出されるように払出モータ２５２を制御する。当該払出モータ２５２の駆動により払い出された賞球は、賞球数計数スイッチ２５３により検出され、払出制御装置２５０側において、適正な賞球数が払い出されたかが把握される。なお、払出制御装置２５０には、この他、受皿６に許容数以上の遊技球が貯留されていることを検知する皿満タン検出スイッチや、本体枠３の扉が開放していることを検知する扉開放検出スイッチ等の各種のスイッチが接続される。
【００２４】
発射制御装置２６０には、ハンドルユニット７内に搭載されたタッチセンサ２６１、発射ボリューム２６２、図外の発射機構内に設けられ、受皿６に貯留された遊技球を送り込む球送りモータ２６３、及び発射機構内に格納された球発射モータ２６４が接続されている。発射制御装置２６０は、払出制御装置２５０からの発射許可およびタッチセンサ２６１からの入力を条件として、遊技者によるハンドルユニット７の操作量に応じて変化する発射ボリューム２６２からの入力信号に基づいて球発射モータ２６４を制御し、受皿６に貯留された遊技球を所定の発射力により遊技領域２０Ａ内に打ち出す。
【００２５】
演出制御装置３００は、遊技進行中や待機中における各種の演出を制御する。
演出制御装置３００は、（サブ）ＣＰＵ３００ａ、（サブ）ＲＯＭ３００ｂ、（サブ）ＲＡＭ３００ｃを備えており、主制御装置１００に対して、主制御装置１００から演出制御装置３００に対してのみ通信（一方向通信）が可能なように接続されている。演出制御装置３００は、主制御装置１００から送信される演出に関する各種のコマンドや内部タイマからの入力信号に基づいて、ＲＯＭ３００ｂに予め格納されたプログラムを読み出して、当該プログラムに従った演算処理を行い、演出制御装置３００に接続された演出表示装置５０の演出表示部５０Ａの画像制御、遊技進行中における楽曲や効果音などの音声をスピーカユニット８から出力させる音声出力制御や、後述する役物装置５００，６００を動作させるソレノイドやモータ等の駆動機構５０１，６０１を動作させる可動体駆動制御、或いは遊技盤２０及びパネル枠４等の各所に配設された図外の発光体（ＬＥＤ）を多様なパターンにより発行させる発光制御を実行する。このときＲＡＭ３００ｃは、ＣＰＵ３００ａの演算処理時におけるワークエリアとして機能し、演算に必要な各種のデータや、コマンド等を一時的に保持する。
【００２６】
また、演出制御装置３００は、ＣＰＵ３００ａと接続され、当該ＣＰＵ３００ａより送信される画像表示に係る各種のコマンドを受信して演出表示部５０Ａに多様な画像を表示するためのＶＤＰ、及び上記画像表示処理中に必要な各種のデータ等を一時的に保存するＶＲＡＭ、音声制御のための音声合成ＬＳＩ等、各種制御に必要なハードウェアを備えている。また、演出制御装置３００には、遊技者の任意に操作可能な前述の操作機構９が接続されており、例えば当該操作機構９の操作タイミングに合せて前述の各制御を実行し、操作機構９の操作タイミングに従った所定の演出を表現することが可能である。また、演出制御装置３００は、各種コマンドを受信して、後述する役物装置５００，６００を所定の態様により動作させ、その動作態様によって遊技を盛り上げる。
【００２７】
［各役物装置の概要について］
次に、演出表示装置５０の周囲に配設される本発明の主要部である役物装置５００及び役物装置６００の概要について説明する。各図に示すように、本実施形態における役物装置５００の可動体５０５は、非動作時において、遊技者から視認可能な演出表示装置５０の上部前面の待機位置に待機し、演出表示部５０Ａの上部を遮った状態とされる。
また、役物装置６００の可動体６０５は、役物装置５００の可動体５０５と対をなし、非動作時において、遊技者から僅かに視認可能な演出表示装置５０の下部前面の待機位置に待機し、演出表示部５０Ａの下部を僅かに遮った状態とされる。
【００２８】
一方、図４に示すように、役物装置５００は、動作時において、待機位置から演出表示部５０Ａの上下方向略中央まで降下し、再び待機位置まで上昇可能とされている。また、役物装置５００は、演出表示装置５０の演出表示部５０Ａの前方において、昇降方向と直交する方向（左右方向）に延在する軸心を回転中心として回転（自転）動作可能とされている。
また、役物装置６００は、動作時において、待機位置から演出表示部５０Ａの上下方向略中央まで上昇し、再び待機位置まで降下動作可能とされている。
【００２９】
つまり、本実施形態に係る役物装置５００の可動体５０５は、いずれも演出表示装置５０の演出表示部５０Ａの前方において上下方向にスライド動作（移動）可能に構成される。また、図４等に示すように、演出表示部５０Ａの前方において降下した可動体５０５は、可動体５０５のスライド方向と直交する方向（本実施形態の場合、左右方向）に延在する回転軸を中心として正逆方向に回転動作可能とされている。
また、役物装置５００，６００は、同期してスライド動作するように構成されており、演出表示装置５０の中央部前方において互いに組み合わせられることによって後述する多様な全体形状を呈することが可能である。以下、上記役物装置５００，６００の詳細について、役物装置５００から順に説明する。
【００３０】
［役物装置５００の詳細について］
図５は、動作時における役物装置５００の全体斜視図である。また、図６（ａ）乃至（ｃ）は、可動体５０５の動作過程を示す役物装置５００の側面図である。
図５に示すように、役物装置５００は、遊技者から視認可能な意匠面を有する可動体５０５と、当該可動体５０５をスライド動作及び回転動作させる駆動機構５０１とを備える。また、駆動機構５０１は、可動体５０５及び後述する回転手段５４０を演出表示部５０Ａの前方においてスライド動作させる（本実施形態では、上下方向への移動）スライド手段５１０と、スライド手段５１０によりスライド動作する可動体５０５をスライド方向と直交する（本実施形態では、左右方向）軸周りに回転動作させる回転手段５４０とを備える。以下、駆動機構５０１のスライド手段５１０から説明する。
【００３１】
各図に示すように、スライド手段５１０は、遊技球誘導壁３１の上部の裏側に対応して設けられ、遊技者から視認困難な機構プレート５１１を備える。機構プレート５１１は、左右方向に延在する板体であって、図外の固定手段を介して遊技盤２０の背面側において固定される。機構プレート５１１の背面（後側）には、後述する可動体５０５及び回転手段５４０を上下方向にスライド動作させるモータＭ１が搭載される。モータＭ１の出力軸には、機構プレート５１１の背面から前面に向けて貫通する回転軸５１３が設けられる。回転軸５１３の軸周りには、機構プレート５１１の前面において回転する回転体５１５が設けられる。
【００３２】
回転体５１５は、正面視略菱形状であり、一端側がモータＭ１の回転軸５１３に回転自在に取付けられる。回転体５１５の他端側には、後述する回転手段５４０の案内穴５４６内をスライド自在な案内突起５１６が設けられる。案内突起５１６は、円筒状に形成され、回転体５１５の前面から前方に向かって突設される。案内突起５１６の外径は、回転手段５４０に形成された案内穴５４６の内径と略同一に形成される。案内穴５４６に案内突起５１６が挿入された状態において、モータＭ１の駆動に伴い回転体５１５が回転すると、案内突起５１６が回転体５１５の回転角度に応じて案内穴５４６内を左右方向に移動するとともに、回転手段５４０が上下方向にスライド動作することとなる。これにより、回転手段５４０に対して固定される役物装置５００の可動体５０５が、モータＭ１の駆動に伴って演出表示部５０Ａの前方を上下方向にスライド移動可能となる。
【００３３】
機構プレート５１１の前面には、回転軸５１３を中心として円弧状に延在する回転体規制部５１８が形成される。回転体規制部５１８は、回転体５１５の背面が摺動しながら回転移動することにより、当該回転移動に伴う回転体５１５のブレを抑制する。
【００３４】
回転体５１５の側部には、支持バネ５２０が取り付けられる。支持バネ５２０は、一端部が機構プレート５１１の上部に設けられたバネ取付部５２１に係止され、他端部が後述する回転手段５４０の背面に設けられた図外の取付部に係止される。支持バネ５２０は、モータＭ１の駆動に伴って可動体５０５及び回転手段５４０が下降した場合に伸長し、回転手段５４０に上向方向の付勢力を付与する。これにより、可動体５０５及び回転手段５４０の上昇時にモータＭ１に作用する負荷を低減し、可動体５０５及び回転手段５４０を滑らかに上昇させる。
【００３５】
支持バネ５２０の側部には、スライド規制部材５２８が固定手段を介して機構プレート５１１の前面に固定される。スライド規制部材５２８は、金属等によりコ字状に形成され、上下方向に延在する部材である。スライド規制部材５２８は、回転手段５４０の背面に固定手段によって固定されるスライド規制部材５５８（図６参照）と摺動自在に係合する。スライド規制部材５５８は、スライド規制部材５２８と対応して上下方向に延在し、コ字状に形成される。スライド規制部材５２８，５５８同士が係合することにより、回転手段５４０及び可動体５０５の左右方向への移動が規制され、その移動方向が上下方向となる。
【００３６】
スライド手段５１０の駆動源であるモータＭ１は、図外の配線や中継基板を介して、図３に示す演出制御装置３００と接続されており、演出制御装置３００から出力される制御信号に基づいて正逆方向に回転駆動する。また、機構プレート５１１の前面側部には、位置検出センサ５２５が設けられる。位置検出センサ５２５は、演出制御装置３００と接続されている。位置検出センサ５２５は、後述する回転手段５４０の機構プレート５４１が上昇位置で待機している場合において、機構プレート５４１の背面に設けられる検出突起５５５を検出することにより、検出信号を演出制御装置３００に対して出力する。つまり、位置検出センサ５２５は、回転手段５４０の原点位置（待機位置）を検出する。
【００３７】
次に、役物装置５００の回転手段５４０について説明する。
図５，図６に示すように、回転手段５４０は、スライド手段５１０と、後述する可動体５０５との間に位置し、可動体５０５の一部（具体的には、後述する第一部材５７０，第二部材５８０）を回転動作させる。
回転手段５４０は、遊技者から視認可能な機構プレート５４１を備える。機構プレート５４１は、正面視略矩形状であり、スライド手段５１０の回転体５１５やスライド規制部材５５８等を介してスライド手段５１０に対して上下方向にスライド動作可能とされる。
【００３８】
機構プレート５４１の中央部には、矩形状の開口部５４８が開設される。開口部５４８は、後述する可動体５０５の第二部材５８０が回転可能な大きさに形成される。具体的には、回転手段５４０のモータＭ２が非動作時において倒伏した状態の第二部材５８０を取込み可能である。
【００３９】
機構プレート５４１に開設された開口部５４８の下方には、可動体５０５の第一部材５７０及び第二部材５８０をスライド手段５１０によりスライド動作した方向（上下方向）と直交する（左右方向）軸周りに９０°回転動作させるモータＭ２が搭載される。モータＭ２の出力軸には、左右方向に延長する回転軸５４３が設けられる。回転軸５４３の軸周りには、ベルトやチェーン等を介して回転ギア５４４が回転自在に連結される。回転ギア５４４は、可動体５０５の第二部材５８０の背面側に設けられた図外の回転軸と連結手段を介して接続される。回転ギア５４４は、モータＭ２の回転に伴い正逆方向に回転し、第二部材５８０の背面側に設けられた回転軸を回転中心として可動体５０５（第一部材５７０及び第二部材５８０）を回転させる。
【００４０】
機構プレート５４１の上部には、回転体５１５の案内突起５１６が挿通される案内穴５４６が開設される。案内穴５４６は、機構プレート５４１を前後方向に貫通し、左右方向に延長する楕円状の貫通孔であって、上述したようにスライド手段５１０の案内突起５１６を左右方向に案内する。
機構プレート５４１の背面には、スライド手段５１０に取付けられた支持バネ５２０の形状に沿った円弧状のバネ受部５５０が形成される。バネ受部５５０は、支持バネ５２０に対応して上下方向に延長し、支持バネ５２０が機構プレート５４１の背面と接触することを防止する。
また、機構プレート５４１の両側部には、可動体５０５の固定部材５７４，５７５を固定する固定突起５６２，５６３が機構プレート５４１の前面から前方に向かって突設される。固定突起５６２，５６３は、固定部材５７４，５７５に形成された図外の固定穴と嵌合する。よって、固定部材５７４，５７５は、回転手段５４０のモータＭ２により回転することなく、機構プレート５４１の前面に固定される。
【００４１】
回転手段５４０の駆動源としてのモータＭ２は、図外の配線及び中継基板を介して、図３に示す演出制御装置３００と接続され、当該演出制御装置３００から出力される制御信号に基づいて回転駆動する。また、回転手段５４０による回転の有無は、可動体５０５の背面に設けられた図外の検出突起の位置を検出する位置検出センサ５６０によって検出される。具体的には、位置検出センサ５６０は、モータＭ２が非動作時において可動体５０５背面の検出突起を検出する。位置検出センサ５６０は、検出突起を検出すると検出信号を演出制御装置３００に出力する。演出制御装置３００は、位置検出センサ５６０から入力する検出信号に基づき、可動体５０５の回転動作を制御する。つまり、位置検出センサ５６０は、可動体５０５の原点位置（待機位置）を検出する。
【００４２】
次に、役物装置５００の可動体５０５について説明する。
可動体５０５は、駆動機構５０１の回転手段５４０の非動作時において、遊技者から視認可能な第一部材５７０と、回転手段５４０の非動作時において、遊技者から視認不能な第二部材５８０と、第二部材５８０の背面側に設けられる図外の回転軸と、第二部材５８０の両端に位置し、回転不能に回転手段５４０の機構プレート５４１に対して固定される固定部材５７４，５７５とを備える。
【００４３】
第一部材５７０は、左右方向に延長する略矩形状の板体であって、回転手段５４０の非動作時に遊技者から視認される面が意匠面５７１として構成される。意匠面５７１には、例えばパチンコ機１の機種タイトルやロゴマーク、製造メーカ、現在の遊技状態、或いは、演出モード等、遊技に関連する所定の情報が所定の形状、或いは、ステッカー等の貼付によって表示される。また、第一部材５７０は、駆動機構５０１の回転手段５４０が非動作時において起立した状態であり、機構プレート５４１の前面と意匠面５７１とが略平行である。一方、駆動機構５０１の回転手段５４０の動作時には、回転手段５４０の駆動に伴い倒伏した状態に変移し、機構プレート５４１の前面と意匠面５７１とが略垂直となる。
【００４４】
第二部材５８０は、第一部材５７０の背面（後側）に取付けられる矩形状の板体であって、回転手段５４０の動作時において遊技者から視認される面が意匠面５８１として構成される。意匠面５８１には、意匠面５７１の機種タイトルやロゴマーク等といった表示と全く異なる表示が施され、本実施形態においては、意匠面５８１の略中央部に戦車等の砲台を模った円筒体が設けられている。また、第二部材５８０は、駆動機構５０１の回転手段５４０が非動作時において機構プレート５４１の前後方向に渡って倒伏した状態であり、機構プレート５４１の前面と意匠面５８１とが略垂直である。一方、駆動機構５０１の回転手段５４０の動作時には、回転手段５４０の駆動に伴い起立した状態に変移し、機構プレート５４１の前面と意匠面５８１とが略平行となる。
また、第二部材５８０の上下寸法（動作時の第二部材５８０の上下方向の寸法）は、第一部材５７０の上下寸法（動作時の第一部材５７０の前後方向の寸法）よりも長尺に設定される。より具体的には、第一部材５７０の上下寸法は、背面側に位置する第二部材５８０が非動作時に遊技者から視認困難となる範囲で小さく設定される。これに対し、第二部材５８０の上下寸法は、第二部材５８０が回転動作可能な範囲で大きく設定される。このように、第一部材５７０の上下寸法を小さく設定することにより、非動作時に演出表示部５０Ａや遊技領域２０Ａが第一部材５７０によって遮られる範囲を小さくすることができる。これに対し、第二部材５８０の上下寸法を大きく設定することにより、遊技者に対して第二部材５８０（戦車等の砲台）があたかも迫ってくるような印象を与え、インパクトの強い演出とすることが可能となる。また、役物装置５００と演出表示装置５０の演出表示部５０Ａとの間に形成される遊技盤２０の奥行方向のスペースを有効活用することができる。
【００４５】
回転軸は、第一部材５７０の長手方向に沿って延在する円筒体である。回転軸の両端部は、固定部材５７４，５７５の内部に設けられた軸受により回転自在に支持される。そして、回転軸は、上述したモータＭ２と回転ギア５４４等を介して接続され、モータＭ２の駆動により回転する。これにより、第一部材５７０及び第二部材５８０は、可動体５０５のスライド方向（上下方向）と直交する方向である左右方向に延在する回転軸を回転中心として、当該回転軸周りに９０°回転することとなる。
固定部材５７４，５７５は、第二部材５８０の両端側に設けられた正面視略矩形状のブロック体であって、機構プレート５４１から突設する固定突起５６２，５６３により回転不能に固定される。
【００４６】
可動体５０５のスライド動作及び回転動作の過程について説明する。
図２や図６（ａ）に示すように、待機位置に停止した状態から演出制御装置３００からモータＭ１に対して駆動信号が出力され、当該モータＭ１が所定の方向に回転すると、回転体５１５の案内突起５１６が案内穴５４６を左右方向に移動しつつ、回転体５１５が回転体規制部５１８に沿って下方に移動する。
【００４７】
図６（ｂ）に示すように、上述の回転体５１５の移動に伴い、可動体５０５及び回転手段５４０は、待機位置から演出表示部５０Ａの前方において下方側にスライド動作する。また、スライド動作した状態において、スライド手段５１０と回転手段５４０とに取付けられる支持バネは、伸長した状態である。
【００４８】
図４，図６（ｃ）に示すように、スライド手段５１０のスライド動作が完了すると、演出制御装置３００からモータＭ２に対して駆動信号が出力され、当該モータＭ２が所定の方向に回転する。モータＭ２の回転に伴い、回転軸５４３及び回転ギア５４４を介して第二部材５８０の背面に設けられた回転軸に動力が伝達されると、第一部材５７０及び第二部材５８０は９０°（図６中に示す実施形態では、時計回り）回転する。具体的には、回転手段５４０の非動作時において起立した状態の第一部材５７０が、回転手段５４０の回転動作に伴い倒伏した状態となる。これに対し、倒伏した状態の第二部材５８０は、回転手段５４０の回転動作に伴い、起立した状態となる。
つまり、回転手段５４０の非駆動時において遊技者から常時視認可能であった第一部材５７０の意匠面５７１が、回転手段５４０の駆動に伴い視認不能となり、回転手段５４０の非駆動時において遊技者から視認不能であった第二部材５８０の意匠面５８１が、回転手段５４０の駆動に伴い視認可能となる。
その後、図４や図６（ｃ）の状態から、モータＭ２が逆方向に回転駆動することにより、第一部材５７０及び第二部材５８０が逆方向に９０°回転（図６中に示す実施形態では、反時計回り）し、モータＭ１が逆方向に回転駆動することにより、可動体５０５及び回転手段５４０が待機位置に復帰する。
【００４９】
以上のとおり、本実施形態に係る役物装置５００によれば、機種タイトルや製造メーカ等の情報が表示された意匠面５７１を有する第一部材５７０が、演出表示装置５０の演出表示部５０Ａの前方においてスライド手段５１０により降下動作した後、回転手段５４０により回転動作することにより、意匠面５７１と全く異なる砲台が模られた意匠面５８１を有する第二部材５８０が出現することとなるので、遊技者に対してインパクトが強く、かつ、意外性のある役物装置５００の演出を提供することができる。
また、可動体５０５の第一部材５７０及び第二部材５８０は、正逆方向（時計回りまたは反時計回り）に９０°の回転となるので、可動体５０５が回転する際に必要なスペース（回転半径）を小さくでき、パチンコ機１内のスペースを有効活用することが可能となる。
なお、本実施形態においては、第一部材５７０及び第二部材５８０の正面をロゴマーク等が形成される意匠面５７１，５８１としたが、これに加え、第一部材５７０の上面にメッセージやキャラクター等を表示し、上記意匠面５７１，５８１と異なる意匠面を形成してもよい。第一部材５７０の上面を意匠面とすれば、可動体５０５が回転手段５４０により回転駆動した場合に、意匠面５７１，５８１と異なる別の意匠面を表示でき、遊技者に対してよりインパクトが強く、かつ、意外性のある役物装置５００の演出を見せることが可能である。
【００５０】
［役物装置６００の詳細について］
次に、前述した役物装置５００と併せて付加的に設けられる第二役物装置としての役物装置６００について説明する。図７は、動作時における役物装置６００の全体斜視図である。また、図８（ａ）は、非動作時における役物装置６００の正面図であり、図８（ｂ）は、動作時における役物装置６００の正面図である。
各図に示すように、役物装置６００は、前述の役物装置５００の可動体５０５及び回転手段５４０のスライド動作と同期して動作する第二可動体としての可動体６０５と、当該可動体６０５を演出表示装置５０の演出表示部５０Ａの前方において上下方向にスライド動作させる駆動機構６０１とを備える。
【００５１】
駆動機構６０１は、遊技球誘導壁３１の下部の裏側に設けられ、遊技者から視認困難な機構プレート６１１を備える。機構プレート６１１は、左右方向に延在する板体であって、図外の固定手段を介して遊技盤２０の背面側において固定される。機構プレート６１１の背面には、後述する可動体６０５を上下方向にスライド動作させる図外のモータが搭載される。モータの出力軸には、機構プレート６１１の背面から当該機構プレート６１１の前面に固定される取付台６１２の前面に向けて貫通する回転軸６１３が設けられる。回転軸６１３の軸周りには、機構プレート６１１の前面において回転する回転体６１５が設けられる。
【００５２】
回転体６１５は、正面視略長円形状であり、一端側がモータの回転軸６１３に回転自在に取付けられる。回転体６１５の他端側には、後述する可動体６０５に形成された案内穴６４６内をスライド自在なスライド突起６１６が設けられる。スライド突起６１６は、円筒状に形成され、回転体６１５の前面から前方に向かって突設される。スライド突起６１６の外径は、可動体６０５に設けられた腕部６５９の案内穴６４６の内径と略同一に形成される。案内穴６４６にスライド突起６１６が挿入された状態において、モータの駆動に伴い回転体６１５が回転すると、スライド突起６１６が案内穴６４６内を移動することとなる。そして、役物装置６００の可動体６０５は、腕部６５９の案内穴６４６を介して駆動機構６０１と接続されており、モータの駆動に伴って演出表示部５０Ａの前方において上下方向にスライド移動可能となる。
【００５３】
機構プレート６１１の前面中央付近には、腕部カバー６１８が固定される。腕部カバー６１８は、縦長矩形状に形成され、その左右両端側に後述する腕部６５８や連結部６６０の一部を挿通可能な切欠き部６１９が形成される。
取付台６１２と腕部カバー６１８との間には、回転支持体６２０が機構プレート６１１の前面に設けられる。回転支持体６２０は、後述する連結部６６０の内径より僅かに小径な円筒体であり、連結部６６０によって前面が覆われる。また、回転支持体６２０は、正逆方向に３６０°回転自在であり、連結部６６０と係合し、連結部６６０の回転動作（可動体６０５のスライド動作）に伴って回転する。
【００５４】
機構プレート６１１の前面側部には、スライド規制部材６２８が固定手段を介して固定される。スライド規制部材６２８は、金属等により略コ字状に形成され、上下方向に延在する部材であって、可動体６０５の背面に固定された略コ字状のスライド規制部材６４８と摺動自在に係合する。スライド規制部材６２８，６４８は、スライド規制部材６２８，６４８同士の係合により可動体６０５の左右方向への移動が規制され、その移動方向が上下方向となる。
【００５５】
駆動機構６０１の駆動源である図外のモータは、図外の配線や中継基板を介して、図３に示す演出制御装置３００と接続されており、演出制御装置３００から出力される制御信号に基づいて正逆方向に回転駆動する。また、機構プレート６１１の前面側部には、位置検出センサ６３０が設けられる。位置検出センサ６３０は、演出制御装置３００と接続されており、後述する可動体６０５が下降した待機位置で待機している場合において可動体６０５に設けられた腕部６５９の左側端部から突設する検出突起６７０を検出することによって、検出信号を演出制御装置３００に対して出力する。つまり、位置検出センサ６３０は、可動体６０５の原点位置（待機位置）を検出する。
【００５６】
次に、役物装置６００の可動体６０５について説明する。
可動体６０５は、演出表示装置５０の演出表示部５０Ａの前方においてスライド動作する意匠板６４１を備える。意匠板６４１は、左右方向に延長する略楕円形状の板体であって、その正面が意匠面６８０として構成される。意匠面６８０には、例えば、所定の文字やマーク等の所定の形状、或いは、ステッカー等の貼付によって表示され、当該意匠面６８０と、上述した第二部材５８０の意匠面５８１とにより新たな意匠を形成する。具体的には、意匠板６４１の意匠面６８０には戦車等の車体が模られており、上述した戦車等の砲台が模られた第二部材５８０の意匠面５８１と意匠面６８０とにより戦車全体を表示する。
つまり、意匠板６４１は、上述した第二部材５８０のスライド動作または回転動作に同期して、演出表示部５０Ａの前方において下方から上方に向かって出現し、意匠面６８０と意匠面５８１とが組み合わされることにより、第一部材５７０の意匠面５７１単体や第二部材５８０の意匠面５８１単体と異なる新たな意匠面を形成することとなる。
【００５７】
意匠板６４１の下方側には、伝達機構６５０が設けられる。伝達機構６５０は、駆動機構６０１の回転体６１５と接続される腕部６５９と、意匠板６４１と連結プレート６４３を介して接続される腕部６５８と、腕部６５８及び腕部６５９を連結する連結部６６０とを備える。
【００５８】
腕部６５９は、左右方向に延在する矩形状のプレートであって、その中間部で連結部６６０側が背面（後方）側に向かって折れ曲がった形状である。腕部６５９の側部には、回転体６１５のスライド突起６１６が挿通される案内穴６４６が開設される。案内穴６４６は、腕部６５９を前後方向に貫通する長孔であり、スライド突起６１６を案内する。これにより、モータから回転体５１５を介して伝達された回転力は、伝達機構６５０の腕部６５９に伝達されることとなる。
また、腕部６５９の端部には、外周側から上方側に向かって僅かに湾曲しつつ突出する検出突起６７０が形成される。検出突起６７０は、意匠板６４１が降下位置に待機した状態（原点位置）において、位置検出センサ６３０によって検出される。
【００５９】
連結部６６０は、円筒状の部材であって、腕部６５９と後述する腕部６５８とを連結する。連結部６６０は、上述した回転支持体６２０と対応する位置に設けられ、背面側から回転支持体６２０を内部に収容可能である。連結部６６０の内周面は、回転支持体６２０の外周面と互いに係合し、腕部６５９の回転動作に伴って回転する。また、連結部６６０の右側及び腕部６５８の左側は、上述した腕部カバー６１８の内部に収容される。
【００６０】
腕部６５８は、腕部６５９と同様に、左右方向に延在する矩形状のプレートであって、その中間部で連結部６６０側が後方（背面）側に向かって折れ曲がった形状である。腕部６５８の左側端部は、連結部６６０へと連結される。また、腕部６５８の右側端部は、連結プレート６４３を前後方向から挟み込むように連結プレート６４３の下端側に固定手段６６５を介して固定される。
【００６１】
連結プレート６４３は、意匠板６４１の左右方向中央下部から下方側に向かって延在する略逆三角形状の板体である。連結プレート６４３は、下端側が腕部６５８の左側端部に固定され、上端側が意匠板６４１の背面に固定される。
【００６２】
可動体６０５のスライド動作について説明する。
図２，図８（ａ）に示すように、待機位置にて停止した状態において、演出制御装置３００から機構プレート６１１の背面に搭載されるモータに対して駆動信号が出力され、当該モータが所定の方向に回転すると、回転体６１５が下方側に移動する。
図４，図８（ｂ）に示すように、回転体６１５は、下方側への移動に伴い伝達機構６５０の腕部６５９を下方側に移動させる。腕部６５９に連結部６６０を介して連結される腕部６５８は、腕部６５９の下方側への移動に応じて上方側へ移動し、当該腕部６５８の移動により意匠板６４１がスライド規制部材６２８に沿って上方にスライド動作する。その後、図４，図８（ｂ）に示す状態からモータが逆方向に回転駆動することによって、回転体６１５が逆方向に回転し、意匠板６４１が待機位置に復帰する。
【００６３】
以上のとおり、本実施形態に係る第二役物装置としての役物装置６００によれば、第二部材の意匠面５８１と意匠板６４１の意匠面６８０とが組み合わさることにより、第一部材の意匠面５７１や第二部材５８０の意匠面５８１と全く異なる新たな意匠面が、演出表示部５０Ａの前方において略全面に出現することとなるので、遊技者に対してよりインパクトが強く、かつ、意外性のある役物装置５００の演出を提供することができる。
なお、本実施形態においては、意匠板６４１が第二部材の意匠面５８１のスライド動作及び回転動作と同期してスライド動作する態様としたが、必ずしも同期させる必要はなく、意匠板６４１のみ単体で動作させてもよい。
【００６４】
以上、本発明を実施の形態に基づいて説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
【符号の説明】
【００６５】
１  パチンコ機、２０  遊技盤、２０Ａ  遊技領域、
５０  演出表示装置、５０Ａ  演出表示部、１００  主制御装置、
３００  演出制御装置、
５００  役物装置、５０１  駆動機構、５０５  可動体、５１０  スライド手段、
５４０  回転手段、５７０  第一部材、５７１  意匠面、５８０  第二部材、
５８１  意匠面、
６００  役物装置、６０１  駆動機構、６０５  可動体。
【図１】
2016016045.tif 000003
【図２】
2016016045.tif 000004
【図３】
2016016045.tif 000005
【図４】
2016016045.tif 000006
【図５】
2016016045.tif 000007
【図６】
2016016045.tif 000008
【図７】
2016016045.tif 000009
【図８】
2016016045.tif 000010